(57)【特許請求の範囲】
【請求項１】
鉄骨造の梁と、鋼管の内部にコンクリートを充填した充填鋼管コンクリート造の柱からなり、各階の梁と柱との接合部には前記柱の鋼管と略同径の鋼管部と該鋼管部に固定された梁接合用のブラケットからなる仕口部材を配置して該仕口部材の鋼管部の上下にそれぞれ前記柱の鋼管を突き合わせ、かつ該鋼管部の内部に上下の柱のコンクリートと一体をなすコンクリートを充填するとともに該コンクリート中に前記鋼管部の内部を上下に挿通して上下の柱に跨がる鉄筋を埋設した構成の複合構造建築物を、以下の各工程により施工することを特徴とする複合構造建築物の施工方法。
(1)前記柱の鋼管内にその上部に空間部を残した状態で予めコンクリートを充填するとともに、該コンクリート中に前記鉄筋の上部を予め埋設しておいて該鉄筋の下部を前記鋼管の下部に突出せしめた形態のプレキャスト部材を予め製作しておく工程。
(2)前記プレキャスト部材が床面上に立設されている状態から、該プレキャスト部材の上部に前記仕口部材を配置するとともに、該仕口部材のブラケットに前記梁を接合し、その上部に床型枠を設置する工程。
(3)前記仕口部材の上方に上階の柱となる他のプレキャスト部材を立設して仮支持することにより、該上階のプレキャスト部材の下部に突出している前記鉄筋の下部を前記仕口部材を挿通せしめて下階のプレキャスト部材の空間部に挿入する工程。
(4)下階のプレキャスト部材の空間部、前記仕口部材の鋼管部の内部、および前記床型枠上にコンクリートを打設する工程。
【請求項２】
鉄骨造の梁と、鋼管の内部にコンクリートを充填した充填鋼管コンクリート造の柱からなり、各階の梁と柱との接合部には前記柱の鋼管と略同径の鋼管部と該鋼管部に固定された梁接合用のブラケットからなる仕口部材を配置して該仕口部材の鋼管部の上下にそれぞれ前記柱の鋼管を突き合わせ、かつ該鋼管部の内部に上下の柱のコンクリートと一体をなすコンクリートを充填するとともに該コンクリート中に前記鋼管部の内部を上下に挿通して上下の柱に跨がる鉄筋を埋設した構成の複合構造建築物を、以下の各工程により施工することを特徴とする複合構造建築物の施工方法。
(1)前記柱の鋼管内にその全長にわたって予めコンクリートを充填するとともに、該コンクリートの上部および下部にそれぞれ前記鉄筋の下部および上部を予め埋設しておいてそれら鉄筋の上部および下部をそれぞれ前記鋼管の上部および下部に突出せしめた形態のプレキャスト部材を予め製作しておく工程。
(2)前記プレキャスト部材が床面上に立設されている状態から、該プレキャスト部材の上部に前記仕口部材を配置して該プレキャスト部材の上部に突出している前記鉄筋の上部を該仕口部材に挿通せしめる工程。
(3)該仕口部材のブラケットに前記梁を接合するとともに、その上部に床型枠を設置する工程。
(4)該仕口部材の鋼管部の内部および前記床型枠上にコンクリートを打設することにより床を形成する工程。
(5)形成された床面上に突出している鉄筋に被せるようにして上階の柱となる鋼管を立設して仮支持する工程。
(6)前記鋼管の上部に仕口部材を設置するとともに該仕口部材のブラケットに梁を接合しかつその上部に床型枠を設置する工程。
(7)仕口部材の上方にさらに上階の柱となるプレキャスト部材を立設してその下部に突出している鉄筋を仕口部材を挿通せしめてその下部を前記鋼管内に挿入する工程。
(8)前記鋼管内、前記仕口部材の鋼管部の内部、前記床型枠の上部にコンクリートを打設する工程。
【請求項３】
請求項１または２に記載の施工方法において、前記仕口部材の上部に上階の柱の鋼管を立設して仮支持するに際し、前記仕口部材の鋼管部を前記ブラケットの上面よりも上部に突出せしめておき、該鋼管部の上端と前記柱の鋼管の下端とを突き合わせてそれらの双方に跨がるように連結具を装着して締結することで前記鋼管の仮支持を行うことを特徴とする複合構造建築物の施工方法。
【請求項４】
請求項１〜３のいずれかに記載の施工方法において、前記仕口部材として、前記鋼管部を短管状の鋼管により形成するとともに前記ブラケットを該鋼管の外周に固定した形態のものを用いることを特徴とする複合構造建築物の施工方法。
【請求項５】
請求項１〜３のいずれかに記載の施工方法において、前記仕口部材として、前記ブラケットを互いに交差させ、かつその交差部の周囲を円弧状に湾曲している鋼板により取り囲むことで鋼管部を形成した形態のものを用いることを特徴とする複合構造建築物の施工方法。
【請求項６】
請求項１〜５のいずれかに記載の施工方法において、前記仕口部材を挿通する鉄筋の上部および下部をそれぞれ上階および下階の柱の略中央部まで達するものとし、各階の柱の略中央部において上下の仕口部材を挿通している双方の鉄筋の先端部どうしを直接的にもしくは添え筋を介してラップさせることを特徴とする複合構造建築物の施工方法。
【発明の詳細な説明】
【０００１】
【発明の属する技術分野】
本発明は、梁が鉄骨造であり柱が充填鋼管コンクリート造である複合構造の建築物の施工方法に関する。
【０００２】
【従来の技術】
周知のように、鋼管の内部にコンクリートを充填した形態の充填鋼管コンクリート構造は、鋼管が内部のコンクリートを外側から締め付けて変形を拘束することで優れた耐力が得られるものであり、これを柱に採用するとともに梁には通常の鉄骨造を採用した複合構造の建築物が近年実用化されつつある。
【０００３】
【発明が解決しようとする課題】
ところで、この種の複合構造の建築物を施工するに当たってはその有効な施工法の開発が必要であり、特に、異種の構造部材である充填鋼管コンクリート造の柱と鉄骨造の梁とを構造的に充分に一体化させかつ施工性良く接合し得る有効な手段が模索されていた。
【０００４】
上記事情に鑑み、本発明はこの種の複合構造建築物を施工するための有効な施工方法を提供することを目的としている。
【０００５】
【課題を解決するための手段】
本発明の施工方法が適用される複合構造建築物は、鉄骨造の梁と、鋼管の内部にコンクリートを充填した充填鋼管コンクリート造の柱からなるもので、
各階の梁と柱との接合部には、前記柱の鋼管と略同径の鋼管部と該鋼管部に固定された梁接合用のブラケットからなる仕口部材を配置して、該仕口部材の鋼管部の上下にそれぞれ前記柱の鋼管を突き合わせ、かつ該鋼管部の内部に上下の柱のコンクリートと一体をなすコンクリートを充填するとともに該コンクリート中に前記鋼管部の内部を上下に挿通して上下の柱に跨がる鉄筋を埋設した構成のものである。そして、本発明の施工方法は上記複合構造の建築物をそれぞれ以下の各工程により施工するものである。
【００１０】
請求項１記載の施工方法は、
(1)前記柱の鋼管内にその上部に空間部を残した状態で予めコンクリートを充填するとともに、該コンクリート中に前記鉄筋の上部を予め埋設しておいて該鉄筋の下部を前記鋼管の下部に突出せしめた形態のプレキャスト部材を予め製作しておく工程。
(2)前記プレキャスト部材が床面上に立設されている状態から、該プレキャスト部材の上部に前記仕口部材を配置するとともに、該仕口部材のブラケットに前記梁を接合し、その上部に床型枠を設置する工程。
(3)前記仕口部材の上方に上階の柱となる他のプレキャスト部材を立設して仮支持することにより、該上階のプレキャスト部材の下部に突出している前記鉄筋の下部を前記仕口部材を挿通せしめて下階のプレキャスト部材の空間部に挿入する工程。
(4)下階のプレキャスト部材の空間部、前記仕口部材の鋼管部の内部、および前記床型枠上にコンクリートを打設する工程。
【００１１】
請求項２記載の施工方法は、
(1)前記柱の鋼管内にその全長にわたって予めコンクリートを充填するとともに、該コンクリートの上部および下部にそれぞれ前記鉄筋の下部および上部を予め埋設しておいてそれら鉄筋の上部および下部をそれぞれ前記鋼管の上部および下部に突出せしめた形態のプレキャスト部材を予め製作しておく工程。
(2)前記プレキャスト部材が床面上に立設されている状態から、該プレキャスト部材の上部に前記仕口部材を配置して該プレキャスト部材の上部に突出している前記鉄筋の上部を該仕口部材に挿通せしめる工程。
(3)該仕口部材のブラケットに前記梁を接合するとともに、その上部に床型枠を設置する工程。
(4)該仕口部材の鋼管部の内部および前記床型枠上にコンクリートを打設することにより床を形成する工程。
(5)形成された床面上に突出している鉄筋に被せるようにして上階の柱となる鋼管を立設して仮支持する工程。
(6)前記鋼管の上部に仕口部材を設置するとともに該仕口部材のブラケットに梁を接合しかつその上部に床型枠を設置する工程。
(7)仕口部材の上方にさらに上階の柱となるプレキャスト部材を立設してその下部に突出している鉄筋を仕口部材を挿通せしめてその下部を前記鋼管内に挿入する工程。
(8)前記鋼管内、前記仕口部材の鋼管部の内部、前記床型枠の上部にコンクリートを打設する工程。
【００１２】
また、請求項３記載の施工方法は、上記各施工方法において、前記仕口部材の上部に上階の柱の鋼管を立設して仮支持するに際し、前記仕口部材の鋼管部を前記ブラケットの上面よりも上部に突出せしめておき、該鋼管部の上端と前記柱の鋼管の下端とを突き合わせてそれらの双方に跨がるように連結具を装着して締結することで前記鋼管の仮支持を行うことを特徴とするものである。
【００１３】
さらに、請求項４記載の施工方法は、上記各施工方法において、前記仕口部材として、前記鋼管部を短管状の鋼管により形成するとともに前記ブラケットを該鋼管の外周に固定した形態のものを用いることを特徴とし、請求項５記載の施工方法は、前記仕口部材として、前記ブラケットを互いに交差させ、かつその交差部の周囲を円弧状に湾曲している鋼板により取り囲むことで鋼管部を形成した形態のものを用いることを特徴とするものである。
【００１４】
さらにまた、請求項６記載の施工方法は、上記各施工方法において、前記仕口部材を挿通する鉄筋の上部および下部をそれぞれ上階および下階の柱の略中央部まで達するものとし、各階の柱の略中央部において上下の仕口部材を挿通している双方の鉄筋の先端部どうしを直接的にもしくは添え筋を介してラップさせるようにしたことを特徴とするものである。
【００１５】
【発明の実施の形態】
図１は本発明の施工方法が適用される複合構造建築物の構造を示す図であり、（ａ）は立断面図、（ｂ）は立面図、（ｃ）は各構成要素を示す分解斜視図である。この建築物は、柱１が鋼管２の内部にコンクリート３を充填した構成の充填鋼管コンクリート造とされ、梁４が通常の鉄骨造とされ、各階の柱１と梁４とは仕口部材５を介して相互に接合されるものとなっている。
【００１６】
上記の仕口部材５は、（ｃ）に示すように、柱１の鋼管２と略同径の短管状の鋼管からなる鋼管部６と、その外周に固定された梁接合用のブラケット７からなり、その仕口部材５の鋼管部６の上下にそれぞれ上下の柱１の鋼管２が突き合わせられて接合され、各ブラケット７にそれぞれ梁４が接合され、それら梁４の上部に床８が形成されるようになっている。そして、仕口部材５の鋼管部６の内部には上下の柱１のコンクリート３と一体をなすようにコンクリート９が充填されるとともに、そのコンクリート９中には、予め環状に組まれた複数の鉄筋１０が鋼管部６の内部を上下に挿通して上下の柱１に跨がるように埋設され、したがって仕口部材５の鋼管部６と柱１の鋼管２とを直接的に接合せずとも、鉄筋１０およびコンクリート３，９を介して上下の柱１が構造的に一体に接合されるようになっている。勿論、上記の仕口部材５は柱１と梁４との接合部すなわち仕口部に要求される強度を有するものとして形成されるものである。
【００１７】
なお、柱１を形成する鋼管２はこの柱１の主に曲げ耐力を負担するとともに剪断補強機能を有する主要構造部材であると同時に、コンクリート３を打設する際の型枠を兼ねるものであり、したがって通常の鉄筋コンクリート造あるいは鉄骨鉄筋コンクリート造の柱のように主筋をその全長にわたって配筋したり、剪断補強筋を設ける必要はない。しかし、場合によっては鋼管２に負担させる引張り耐力や曲げ耐力を軽減し、あるいは鋼管２を単に型枠としてのみ機能せしめることとして、上記の鉄筋１０を鉄筋コンクリート造の柱における主筋のように柱１の全長にわたって配筋することとしても良い（この点に関しては後述する）。また、柱１の横断面形状は円形に限らず、角形鋼管を用いて角形断面とすることも可能である。
【００１８】
以下、本発明の施工方法の実施形態を説明する。なお、本発明は柱の鋼管内に予めコンクリートを打設して鉄筋を予め埋設したプレキャスト部材を用いることを必須の構成要件とするが、以下に第１〜第４実施形態およびその変形例として説明するものはそのような要件を欠いているので本来は実施形態ではなく単なる参考例であるが、便宜上、以下ではそれらも一括して実施形態と称している（本来の実施形態は第５〜第６実施形態のみである）。
図２（ａ）〜（ｈ）は本発明の施工方法の第１実施形態を示すもので、図１に示した上記構造の建築物の施工手順を工程順に示すものである。
【００１９】
▲１▼まず、図２（ａ）に示すように、既に形成されている床８上に上記の鉄筋１０の上部が突出している状態から、（ｂ）に示すように柱１の鋼管２をその鉄筋１０の外側に被せるようにして床８上に立設し、（ｃ）に示すように適宜のサポート１１により仮支持して転倒を防止する。
【００２０】
▲２▼同じく（ｃ）に示すように鋼管２の内部に鉄筋１０を埋設する位置までコンクリート３を打設して、そのコンクリート３が硬化して鋼管２が自立したらサポート１１を撤去する。
【００２１】
▲３▼（ｄ）に示すように鋼管２の上部に仕口部材５を設置した後、（ｅ）に示すように仕口部材５のブラケット７に梁４を接合することで隣接する柱１，１間に梁４を架設し、（ｆ）に示すように梁４の上部に床型枠１２（本例ではデッキプレート）を設置する。また、上記の梁４の架設や床型枠１２の設置と相前後して、あるいは同時に、同じく（ｆ）に示すように仕口部材５の鋼管部６に鉄筋１０を挿通せしめてその下部を鋼管２内の上部に挿入する。
【００２２】
▲４▼（ｇ）に示すように、鋼管２の内部、仕口部材５の鋼管部６の内部、および床型枠１２上にコンクリートを打設すれば、（ｈ）に示すように柱１、仕口部材５、床８が構造的に一体化した状態で形成されてこの階の施工が完了する。引続いて上階において以上の手順を繰り返す。
【００２３】
本第１実施形態では、特に柱脚部にコンクリートを先行打設することで鋼管２を自立せしめるので、鋼管２の仮支持のためのサポート１１を簡略化できるとともにそれを早期に撤去でき、その点で施工性に優れる利点がある。
【００２４】
図３は本発明の第２実施形態を示す。上記第１実施形態では仕口部材５と鉄筋１０とを個別に設置するものとしたが、本第２実施形態ではそれらを予めユニット化しておいて一括して設置するものとしている。
【００２５】
▲１▼まず、図３（ｄ）に示すように仕口部材５の鋼管部６に予め鉄筋１０を挿通せしめて、それら仕口部材５と鉄筋１０とをユニット化したユニットＵ１を形成しておく。
【００２６】
▲２▼第１実施形態の場合と同様に、（ａ）に示すように鉄筋１０の上部が床８上に突出している状態から、（ｂ）に示すように柱１の鋼管２をその鉄筋１０の外側に被せるようにして床８上に立設し、（ｃ）に示すようにサポート１１により仮支持する。
【００２７】
▲３▼（ｄ）に示すように上記のユニットＵ１の仕口部材５を鋼管２の上部に設置してそれと同時に鉄筋１０の下部を鋼管２の上部に挿入する。そして、（ｅ）に示すように仕口部材５のブラケット７に対して梁４を接合するとともにその上部に床型枠１２を設置する。
【００２８】
▲４▼同じく（ｅ）に示すように鋼管２の内部、仕口部材５の鋼管部６の内部、および床型枠１２上にコンクリートを打設すれば、（ｆ）に示すように柱１および仕口部材５並びに床８が一体に形成されてこの階の施工が完了する。
【００２９】
本第２実施形態においては、仕口部材５と鉄筋１０とをユニットＵ１として用いるので、それらを個別に用いる場合に比較して施工性をより改善することができる。そして、本第２実施形態においても、上記第１実施形態の場合と同様に、柱脚部に対してコンクリートを先行打設することによりサポート１１を早期に撤去することが可能である（これは以下で説明する他の実施形態においても同様である）。
【００３０】
図４は本発明の第３実施形態を示す。本第３実施形態では、柱１の鋼管２の上部に仕口部材５を予め取付けてそれらをユニット化するものである。
【００３１】
▲１▼まず、図４（ｂ）に示すように、柱１の鋼管２の上部に仕口部材５を予め取付けてそれら鋼管２と仕口部材５とをユニットＵ２として予め製作しておく。
【００３２】
▲２▼（ａ）に示すように鉄筋１０の上部が床８上に突出している状態から、（ｂ）に示すように上記のユニットＵ２の鋼管２をその鉄筋１０の外側に被せるようにして床８上に立設し、（ｃ）に示すようにサポート１１により仮支持する。
【００３３】
▲３▼（ｄ）に示すように仕口部材５の鋼管部６の内部に鉄筋１０を挿通せしめてその下部を鋼管２内の上部に挿入するとともに、それに相前後して、仕口部材５のブラケット７に対して梁４を接合するとともに、その上部に床型枠１２を設置する。
【００３４】
▲４▼それ以降は上記第２実施形態の場合と同様（図３（ｅ）、（ｆ）参照）に、柱１の鋼管２の内部、仕口部材５の鋼管部６の内部、床型枠１２上にコンクリートを打設する。
【００３５】
本第３実施形態においては、仕口部材５と鋼管２とをユニットＵ２として用いるので、それらを個別に用いる場合に比較して施工性をより改善することができる。
【００３６】
図５は第４実施形態の要部のみを示す。本第４実施形態では、柱１の鋼管２の上部に予め仕口部材５を取付けておくとともに、その仕口部材５の鋼管部６の内部に予め鉄筋１０を挿通せしめた状態で取付けておいて、それら鋼管２、仕口部材５、鉄筋１０をユニットＵ３として用いるものである。この場合、鋼管２を立設するのみで仕口部材５の設置と鉄筋１０の配筋が同時に行われることになり、施工性をより一層改善することができる。
【００３７】
以上で本発明の第１〜第４実施形態を説明したが、図６〜図１０にその変形例を示す。図６は２階層分の柱１の鋼管２と仕口部材５を予めユニット化したもの、図７は仕口部材５のブラケット７の一部に予め梁４を接合した形態としたもの（ブラケット７を省略して梁４を直接的に鋼管部６に接合したもの）、図８は２つの仕口部材５を１スパン分の梁４により予め連結した形態のもの、図９は図８のものにさらに２本の柱１の鋼管２を取付けておくもの、図１０は４本の梁４と４つの仕口部材５を井桁状に連結しておくものである。なお、図６〜図１０に示すものに鉄筋１０を予め組み込んでも勿論良いし、図６〜図１０に示すものを任意に組み合わせて用いることも考えられる。
【００３８】
次に、図１１（ａ）〜（ｅ）は本発明の第５実施形態を示す。本第５実施形態は、柱１の鋼管２内に予めコンクリート９を打設して鉄筋１０を予め埋設したプレキャスト部材Ｐ１を形成しておき、それを用いるようにしたものである。
【００３９】
▲１▼すなわち、本第５実施形態では、図１１（ａ）に示すように、柱１の鋼管２内にその上部に空間部１３を残した状態で予めコンクリート９を充填するとともに、該コンクリート９中に前記鉄筋１０の上部を予め埋設しておいて該鉄筋１０の下部を前記鋼管２の下部に突出せしめた形態のプレキャスト部材Ｐ１を予め製作しておく。
【００４０】
▲２▼（ｂ）に示すようにそのプレキャスト部材Ｐ１が床８上に立設されている状態から、（ｃ）に示すようにその上部に仕口部材５を配置するとともに、ブラケット７に梁４を接合し、その上部に床型枠１２を設置する。
【００４１】
▲３▼（ｄ）に示すように、仕口部材５の上方に上階の柱１となる他のプレキャスト部材Ｐ１を立設して仮支持することにより、その上階のプレキャスト部材Ｐ１の下部に突出している鉄筋１０の下部を仕口部材５を挿通せしめて下階のプレキャスト部材Ｐ１の空間部１３に挿入する。
【００４２】
▲４▼（ｅ）に示すように、下階のプレキャスト部材Ｐ１の空間部１３、仕口部材５の鋼管部６の内部、および床型枠１２上にコンクリートを打設すれば、柱１、仕口部材５、床８が形成される。
【００４３】
本第５実施形態では、柱１をプレキャスト化したので、コンクリートの現場打ち作業が軽減されて施工性を改善することができる。
【００４４】
さらに、図１２（ａ）〜（ｅ）と図１３（ｆ）〜（ｇ）は第６実施形態を示す。本第６実施形態においては上記第５実施形態のものとは異なるプレキャスト部材Ｐ２を用いるものである。
【００４５】
▲１▼すなわち、図１２（ａ）に示すように、柱１の鋼管２内にその全長にわたって予めコンクリート９を充填するとともに、そのコンクリート９の上部および下部にそれぞれ鉄筋１０の下部および上部を予め埋設しておいて、それら鉄筋１０の上部および下部をそれぞれ鋼管２の上部および下部に突出せしめた形態のプレキャスト部材Ｐ２を予め製作しておく。
【００４６】
▲２▼（ｂ）に示すようにプレキャスト部材Ｐ２が床８上に立設されている状態から、（ｃ）に示すようにその上部に仕口部材５を設置して、プレキャスト部材Ｐ２の上部に突出している鉄筋１０の上部を仕口部材５に挿通せしめる。
【００４７】
▲３▼同じく（ｃ）に示すように、仕口部材５のブラケット７に梁４を接合するとともに、その上部に床型枠１２を設置する。
【００４８】
▲４▼（ｄ）に示すように、仕口部材５の鋼管部６の内部および床型枠１２上にコンクリートを打設することにより床８を形成する。
【００４９】
▲５▼（ｅ）に示すように、上記で形成された床８上に突出している鉄筋１０に被せるようにして上階の柱１となる鋼管２を立設して仮支持する。
【００５０】
▲６▼同じく（ｅ）に示すように上記で立設した鋼管２の上部に仕口部材５を設置するとともに、その仕口部材５のブラケット７に梁４を接合し、かつその上部に床型枠１２を設置する。
【００５１】
▲７▼図１３（ｆ）に示すように、仕口部材５の上方にさらに上階の柱１となるプレキャスト部材Ｐ２を立設し、その下部に突出している鉄筋１０を仕口部材５を挿通せしめてその下部を鋼管２内に挿入する。
【００５２】
▲８▼（ｇ）に示すように鋼管２内、仕口部材５の鋼管部６の内部、床型枠１２の上部にコンクリートを打設した、柱１、仕口部材５、床８を形成する。
【００５３】
本第６実施形態においても、柱１をプレキャスト化して用いるので、第５実施形態と同様に施工性を改善することができる。
【００５４】
ところで、上記各実施形態において柱１の鋼管２を仮支持するためには、たとえば図２（ｃ）に例示したような適宜のサポート１１等を用いれば良いが、それに代えて図１４に示すような仮支持の形態も採用可能である。これは、仕口部材５の上部に上階の柱１の鋼管２を立設して仮支持するに際し、仕口部材５の上部にブラケット７の上面よりも上部に突出するような他の鋼管部１６を設けておき、その鋼管部１６の上端と柱１の鋼管２の下端とを突き合わせてそれらの双方に跨がるように連結具２０を装着することにより、その連結具２０により仕口部材５の鋼管部１６と柱１の鋼管２とを連結して鋼管２を自立せしめるものである。
【００５５】
上記の連結具２０としては、フランジ部２１を有する一対の半割環状のバンド２２どうしをボルト締結するとともに、各バンド２２の内側にゴム等の弾性部材２３を取付けておいて、双方のバンド２２をボルト締結することにより鋼管部１６と鋼管２とを外側から強固に締め付ける構成とされている。そのような連結具２０を用いることにより簡便かつ容易に鋼管２の仮支持を行うことができるとともに、コンクリート打設の際に鋼管部１６と鋼管２との隙間からのコンクリートの漏れ出しを防止でき、しかもこの連結具２０は繰り返し転用可能であるからコストの点でも有利となる。
【００５６】
また、上記各実施形態で用いた仕口部材５は短管状の鋼管からなる鋼管部６の外周にブラケット７を固定した形態のものを用いたが、それに代えてたとえば図１５（ａ），（ｂ）に示す形態の仕口部材５０を採用することもできる。その仕口部材５０は双方のブラケット７，７を互いに交差させた状態で設け、その交差部の周囲を取り囲むように円弧状に湾曲している鋼板５１に溶接することで鋼管部５２を形成したものであり、このような仕口部材５０を用いることによりいわゆる梁貫通型の仕口部が構成される。なお、この場合には図１５（ｂ）に示すように鉄筋１０をブラケット７，７と干渉しない位置に通せば良い。
【００５７】
さらに、先に述べたように、仕口部に設ける鉄筋１０を各階の柱１の全長にわたるように配筋することも好ましいが、その場合には、図１６に示すように鉄筋１０の上部および下部をそれぞれ上階および下階の柱１の略中央部まで達するものとしておき、各階の柱１の略中央部において双方の鉄筋１０の先端部どうしを（ａ）に示すように直接的にラップさせるか、もしくは（ｂ）に示すように添え筋６０を介してラップさせれば良い。勿論、可能であれば双方の鉄筋１０どうしを直接的に連結することも妨げるものではないが、上記のように所定のラップ長を確保してラップジョイントとすることが最も簡便かつ合理的である。このように鉄筋１０を柱１の全長にわたって配筋すれば、それら鉄筋１０が鉄筋コンクリート造の柱における主筋と同様に機能し、したがって外周柱のように大きな引張り軸力を受ける柱に適用して特に好適である。
【００５８】
【発明の効果】
以上で説明したように、本発明によれば、梁が鉄骨造であり柱が充填鋼管コンクリート造の複合構造建築物を施工するに当たり、各階の柱と梁を仕口部材およびその内部に設けたコンクリート並びに鉄筋を介して接合するので、柱と梁とを構造的に一体に接合し得て強度を確保し得ることはもとより、特に、柱をプレキャスト化して柱の鋼管内に予めコンクリートを打設して鉄筋を予め埋設したプレキャスト部材を用いることにより、施工性を充分に改善することができ、この種の複合構造建築物の施工に適用して好適である。
【図面の簡単な説明】
【図１】本発明の施工方法が適用される複合構造建築物の概要を示す図である。
【図２】本発明の第１実施形態である施工手順を示す図である。
【図３】本発明の第２実施形態である施工手順を示す図である。
【図４】本発明の第３実施形態である施工手順の要部を示す図である。
【図５】本発明の第４実施形態である施工手順の要部を示す図である。
【図６】上記各実施形態の変形例を示す図である。
【図７】上記各実施形態の他の変形例を示す図である。
【図８】上記各実施形態のさらに他の変形例を示す図である。
【図９】上記各実施形態のさらに他の変形例を示す図である。
【図１０】上記各実施形態のさらに他の変形例を示す図である。
【図１１】本発明の第５実施形態である施工手順を示す図である。
【図１２】本発明の第６実施形態である施工手順の前半部を示す図である。
【図１３】上記第６実施形態である施工手順の後半部を示す図である。
【図１４】上記各実施形態において適用可能な鋼管の仮支持の形態を示す図である。
【図１５】上記各実施形態において適用可能な仕口部材の他の例を示す図である。
【図１６】上記各実施形態において適用可能な柱の構造の他の例を示す図である。
【符号の説明】
１  柱
２  鋼管
３  コンクリート
４  梁
５  仕口部材
６  鋼管部
７  ブラケット
８  床
９  コンクリート
１０  鉄筋
１１  サポート
１２  床型枠
１３  空間部
１６  鋼管部
２０  連結具
５０  仕口部材
５１  鋼板
５２  鋼管部
６０  添え筋
Ｕ１，Ｕ２，Ｕ３  ユニット
Ｐ１，Ｐ２  プレキャスト部材
【図１】
0003584428.tif 000002
【図２】
0003584428.tif 000003
【図３】
0003584428.tif 000004
【図４】
0003584428.tif 000005
【図５】
0003584428.tif 000006
【図６】
0003584428.tif 000007
【図７】
0003584428.tif 000008
【図８】
0003584428.tif 000009
【図９】
0003584428.tif 000010
【図１０】
0003584428.tif 000011
【図１１】
0003584428.tif 000012
【図１２】
0003584428.tif 000013
【図１３】
0003584428.tif 000014
【図１４】
0003584428.tif 000015
【図１５】
0003584428.tif 000016
【図１６】
0003584428.tif 000017